(57)【特許請求の範囲】
【請求項１】
犬の肛門又はその周囲に付着した排泄物を拭き取るための犬用肛門拭取体において、
上記排泄物を拭き取るための拭取層が表面に形成されるとともに、犬の排泄物を捕集するための捕集袋の表側に貼着される粘着層がその裏面に形成され、
平面視で両側部がその中間に形成される中間部よりも一の方向に向けて偏移された形状とされ、
側部から中間部に向けて応力が集中するように、又は中間部から側部に向けて応力が集中するように内部応力が負荷されていること
を特徴とする犬用肛門拭取体。
【請求項２】
犬の肛門又はその周囲に付着した排泄物を拭き取るための犬用肛門拭取体において、
上記排泄物を拭き取るための拭取層が表面に形成されるとともに、犬の排泄物を捕集するための捕集袋の表側に貼着される粘着層がその裏面に形成され、
平面視で両側部がその中間に形成される中間部よりも一の方向に向けて偏移された形状とされ、
上記粘着層は、両側部が中間部より延出される方向が拭取方向にほぼ合致するように上記捕集袋に貼着され、
上記拭取方向の前端から後端にかけて延長された案内用の凸状のリブの根本部から頂部に向けて内部応力が予め負荷されていること
を特徴とする犬用肛門拭取体。
【請求項３】
犬の肛門又はその周囲に付着した排泄物を拭き取るための犬用肛門拭取体において、
上記排泄物を拭き取るための拭取層が表面に形成されるとともに、犬の排泄物を捕集するための捕集袋の表側に貼着される粘着層がその裏面に形成され、
平面視で両側部がその中間に形成される中間部よりも一の方向に向けて偏移された形状とされ、
上記中間部は、低摩擦領域とされ、上記両側部は上記低摩擦領域よりも表面の摩擦係数が高い高摩擦領域とされていること
を特徴とする犬用肛門拭取体。
【請求項４】
犬の肛門又はその周囲に付着した排泄物を拭き取るための犬用肛門拭取体において、
上記排泄物を拭き取るための拭取層が表面に形成されるとともに、犬の排泄物を捕集するための捕集袋の表側に貼着される粘着層がその裏面に形成され、
平面視で両側部がその中間に形成される中間部よりも一の方向に向けて偏移された形状とされ、
上記中間部のみには、上記拭取層が二重に形成されていること
を特徴とする犬用肛門拭取体。
【請求項５】
犬の肛門又はその周囲に付着した排泄物を拭き取るための犬用肛門拭取体において、
上記排泄物を拭き取るための拭取層が表面に形成されるとともに、犬の排泄物を捕集するための捕集袋の表側に貼着される粘着層がその裏面に形成され、
平面視で両側部がその中間に形成される中間部よりも一の方向に向けて偏移された形状とされ、
上記中間部と、上記両側部とは互いに異種材料で構成され、上記中間部は、上記両側部よりも吸水性の高い材料で構成されていること
を特徴とする犬用肛門拭取体。
【請求項６】
犬の肛門又はその周囲に付着した排泄物を拭き取るための犬用肛門拭取体において、
上記排泄物を拭き取るための拭取層が表面に形成されるとともに、犬の排泄物を捕集するための捕集袋の表側に貼着される粘着層がその裏面に形成され、
平面視で両側部がその中間に形成される中間部よりも一の方向に向けて偏移された形状とされ、
上記中間部の弾性率は、上記両側部の弾性率よりも低く構成していること
を特徴とする犬用肛門拭取体。
【発明の詳細な説明】
【技術分野】
【０００１】
本発明は、犬の肛門に付着した排泄物を拭き取るための犬用肛門拭取体に関し、特に拭き取りの利便性を向上させると共に、衛生面や資源の節約面にも優れた犬用肛門拭取体に関するものである。
【背景技術】
【０００２】
ペットとして飼育される犬は散歩中に道路上で排泄をするが、その排泄物（糞）の処理は飼育家に必ず付いて回る問題である。一般的にこの排泄物の処理は、スーパーストアやコンビニエンスストア等で無償でもらえるポリエチレン等から構成される袋に手を嵌め、排泄物を掴んで袖口から全体を裏返し、排泄物ごと手から抜き取って袖口を結ぶ場合が多い。これに加えて、衛生面から専用のウェットティシュ等を犬の肛門又はその周囲に当てがい、これに付着した排泄物を拭き取る場合が多い。
【０００３】
しかしながら、排泄物の拭き取りのために、この専用のウェットティッシュを別途購入する必要があり、飼育家の頭を悩ます原因ともなっていた。このため、ウェットティッシュを別途購入することなく、犬の肛門又はその周囲に付着した排泄物を拭き取ることが可能なツールが特に飼育家の間で求められていた。
【０００４】
従来においては、例えば特許文献１に示すようなペット糞処理用具が提案されている。この特許文献１の開示技術によれば、立体的な多孔性の網状構造を有する有機高分子材料のシートと、このシートを人の手に保持するための手段により構成され、汚れや排泄物で固まった動物の毛皮を清掃できる旨の記載がある。しかしながら、この特許文献１の開示技術によれば、あくまで毛皮を清掃する点に特化したものであり、犬の肛門又はその周囲のようなデリケートな部分において拭き取り動作を行った場合に、その網状構造により傷をつけてしまう場合もある。
【０００５】
また、特許文献２の開示技術によれば、ペットを対象とした手袋型拭き取り用具において、内部が蒸れにくく、しかも汚れが手に付着しにくくするために、保水率の高いシートで表面を構成した技術が開示されている。しかしながら、この特許文献２の開示技術では、界面活性剤を使用して動物を洗浄する際にその毛皮を拭き取ることを前提とした技術であり、犬の肛門又はその周囲に付着した排泄物の拭き取りに対応したものではない。
【先行技術文献】
【特許文献】
【０００６】
【特許文献１】実開平５−２６６４号公報
【特許文献２】特開２０１５−７３６１９号公報
【発明の概要】
【発明が解決しようとする課題】
【０００７】
そこで本発明は、上述した問題点に鑑みて案出されたものであり、その目的とするところは、犬の肛門又はその周囲に付着した排泄物の拭き取りの利便性を向上させると共に、衛生面や資源の節約面にも優れた犬用肛門拭取体を提供することにある。
【課題を解決するための手段】
【０００８】
本発明を適用した犬用肛門拭取体は、犬の肛門又はその周囲に付着した排泄物を拭き取るための犬用肛門拭取体において、上記排泄物を拭き取るための拭取層が表面に形成されるとともに、犬の排泄物を捕集するための捕集袋の表側に貼着される粘着層がその裏面に形成され、平面視で両側部がその中間に形成される中間部よりも一の方向に向けて偏移された形状とされ、側部から中間部に向けて応力が集中するように、又は中間部から側部に向けて応力が集中するように内部応力が負荷されていることを特徴とする。
本発明を適用した犬用肛門拭取体は、犬の肛門又はその周囲に付着した排泄物を拭き取るための犬用肛門拭取体において、上記排泄物を拭き取るための拭取層が表面に形成されるとともに、犬の排泄物を捕集するための捕集袋の表側に貼着される粘着層がその裏面に形成され、平面視で両側部がその中間に形成される中間部よりも一の方向に向けて偏移された形状とされ、上記粘着層は、両側部が中間部より延出される方向が拭取方向にほぼ合致するように上記捕集袋に貼着され、上記拭取方向の前端から後端にかけて延長された案内用の凸状のリブの根本部から頂部に向けて内部応力が予め負荷されていることを特徴とする。
本発明を適用した犬用肛門拭取体は、犬の肛門又はその周囲に付着した排泄物を拭き取るための犬用肛門拭取体において、上記排泄物を拭き取るための拭取層が表面に形成されるとともに、犬の排泄物を捕集するための捕集袋の表側に貼着される粘着層がその裏面に形成され、平面視で両側部がその中間に形成される中間部よりも一の方向に向けて偏移された形状とされ、上記中間部は、低摩擦領域とされ、上記両側部は上記低摩擦領域よりも表面の摩擦係数が高い高摩擦領域とされていることを特徴とする。
本発明を適用した犬用肛門拭取体は、犬の肛門又はその周囲に付着した排泄物を拭き取るための犬用肛門拭取体において、上記排泄物を拭き取るための拭取層が表面に形成されるとともに、犬の排泄物を捕集するための捕集袋の表側に貼着される粘着層がその裏面に形成され、平面視で両側部がその中間に形成される中間部よりも一の方向に向けて偏移された形状とされ、上記中間部のみには、上記拭取層が二重に形成されていることを特徴とする。
【０００９】
本発明を適用した犬用肛門拭取体は、犬の肛門又はその周囲に付着した排泄物を拭き取るための犬用肛門拭取体において、上記排泄物を拭き取るための拭取層が表面に形成されるとともに、犬の排泄物を捕集するための捕集袋の表側に貼着される粘着層がその裏面に形成され、平面視で両側部がその中間に形成される中間部よりも一の方向に向けて偏移された形状とされ、上記中間部と、上記両側部とは互いに異種材料で構成され、上記中間部は、上記両側部よりも吸水性の高い材料で構成されていることを特徴とする。
本発明を適用した犬用肛門拭取体は、犬の肛門又はその周囲に付着した排泄物を拭き取るための犬用肛門拭取体において、上記排泄物を拭き取るための拭取層が表面に形成されるとともに、犬の排泄物を捕集するための捕集袋の表側に貼着される粘着層がその裏面に形成され、平面視で両側部がその中間に形成される中間部よりも一の方向に向けて偏移された形状とされ、上記中間部の弾性率は、上記両側部の弾性率よりも低く構成していることを特徴とする。
【発明の効果】
【００１０】
上述した構成からなる本発明によれば、挿入した手の中指が中間部に、また人差し指と薬指が両側部に位置することとなる。特に両側部は、中間部よりも一方向に向けて偏移されている場合に、かかる指との間の位置あわせを好適に実現できる。かかる状態で犬の肛門又はその近傍に捕集袋に挿入した手を近づけることにより、ちょうど飼育家の手の中指、人差し指、薬指が犬用肛門拭取体に位置することとなり、これら中指、人差し指、薬指により、犬用肛門拭取体をうまく肛門に接触させることが可能となり、肛門又はその周囲に付着した排泄物を拭き取ることが可能となる。
【００１１】
また本発明によれば、排泄物の付着性に優れた材料で構成されている拭取層を有することにより、拭き取り性能が優れていることから一度又は少ない回数の拭き動作のみで汚れを除去することが可能となる。これに加えて、ちょうど飼育家の手の中指、人差し指、薬指が犬用肛門拭取体に位置させることが可能となることから、指からの力が犬用肛門拭取体に対して好適に加わることとなり、肛門に付着した排泄物をその指からの力を通じて効率的に拭き取ることが可能となる。このため、拭き取り動作の回数をより減らすことができ、飼育家の飼育労力の負担の軽減を図ることが可能となる。これに加えて、拭き取り動作の回数を減らすことで犬の肛門に拭取層が擦れることにより傷が付いてしまうのを防止することができ、また肛門に傷が付くことによりばい菌が傷口から入り込むのを防止でき、衛生面においても優れたものとなる。
【図面の簡単な説明】
【００１２】
【図１】シート上に本発明を適用した犬用肛門拭取体を配列させた例を示す図である。
【図２】本発明を適用した犬用肛門拭取体の断面図である。
【図３】本発明を適用した犬用肛門拭取体の平面図である。
【図４】本発明を適用した犬用肛門拭取体の平面視で見た場合における変形例を示す図である。
【図５】本発明を適用した犬用肛門拭取体の平面視で見た場合における他の変形例を示す図である。
【図６】本発明を適用した犬用肛門拭取体の平面視で見た場合における更なる他の変形例を示す図である。
【図７】袋の表面に対して犬用肛門拭取体を貼着する例を示す図である。
【図８】飼育家が袋の中に手を挿入した例を示す図である。
【図９】本発明を適用した犬用肛門拭取体により実際に犬の肛門に付着した排泄物を拭き取る方法について説明するための図である。
【図１０】拭取層につき、高摩擦領域と低摩擦領域とを分けて設ける例を示す図である。
【図１１】犬用肛門拭取体の表層を構成する拭取層につき多孔質の材料で構成した例を示す図である。
【図１２】中間部におけるほぼ中心線に沿ってＡ方向に向けてリブを形成させた犬用肛門拭取体の例を示す図である。
【図１３】犬用肛門拭取体の断面を波形状に構成した例を示す図である。
【図１４】犬用肛門拭取体に対して予め内部応力を導入した例を示す図である。
【図１５】犬用肛門拭取体における拭取層の表面に複数のエンボスを規則的に形成した例を示す図である。
【図１６】（ａ）は、一の側端から他の側端に至るまで全体的に円弧状となるように撓ませて構成した例を示す図であり、（ｂ）は、前端から後端に至るまで全体的に円弧状となるように撓ませて構成した例を示す図である。
【図１７】中間部のほぼ中心線において山折りに折り込まれた例を示す図である。
【図１８】Ａ方向に向けて断続的に突起を形成させる例を示す図である。
【図１９】手の指に応じた案内部を形成された例を示す図である。
【図２０】主として中指が当たる中間部については、拭取層の上に更にもう一層に亘り同一の材料を積層させた例を示す図である。
【図２１】拭取層につき、中間部と側部との間で互いに異種材料で構成した例を示す図である。
【図２２】拭取層と、粘着層との間に冷却材を介装させた例を示す図である。
【図２３】、平面視においてちょうど中間部の中央付近において洗浄液を封入させた例を示す図である。
【図２４】中間部と側部との間で互いに弾性率を異ならせた例を示す図である。
【図２５】前端から後端にかけて複数の領域に区切った例を示す図である。
【図２６】本発明を適用した犬用肛門拭取体において、平面視で矩形状に構成した例を示す図である。
【発明を実施するための形態】
【００１３】
以下、本発明を適用した犬用肛門拭取体について図面を参照しながら詳細に説明をする。
【００１４】
本発明を適用した犬用肛門拭取体２は、犬の肛門に付着した糞等の排泄物を拭き取るための拭取体であり、例えば図１に示すようなシート１上に予め貼着された状態で流通販売される。このシート１には、犬用肛門拭取体２が複数に亘り配列されている。
【００１５】
図２は、本発明を適用した犬用肛門拭取体２の断面図である。犬用肛門拭取体２は、排泄物を拭き取るための拭取層２１が表面に形成され、粘着層２２がその裏面に形成されている。この犬用肛門拭取体２は、少なくとも表面に拭取層２１が、裏面に粘着層２２がそれぞれ形成されているものであれば、この拭取層２１と粘着層２２との間にいかなる層が介装されていてもよい。
【００１６】
拭取層２１は、犬の排泄物に接触した場合にこれを吸いつけて好適に除去可能な媒体である。この拭取層２１は、紙、繊維、布、織物、毛皮、合成樹脂、植物性繊維、ちり紙、薄葉紙等で構成される。この拭取層２１は、上述した例に限定されるものではなく、他のいかなる物質を使用するようにしてもよい。拭取層２１の種類、拭取層２１の厚み等は、犬の種類、使用環境（温度環境）等により適宜選定される。
【００１７】
粘着層２２は、一般にシールとして使用される粘着剤である。この粘着剤の主成分は、アクリル系粘着剤、ゴム系粘着剤、シリコン粘着剤などで構成される。粘着層２２は、溶剤系、水系エマルジョン、ホットメルト、ＵＶ硬化等の粘着剤を適用するようにしてもよい。水系エマルジョン型粘着剤のポリマーとしては、アクリル系ポリマー、ウレタン系ポリマー、ゴム系ポリマー、それらの変成体、それらの共重合体などが好適に用いられる。この粘着層２２は、上述した例に限定されるものではなく、他のいかなる物質を使用するようにしてもよい。粘着層２２を構成する粘着財の種類、粘着層２２の厚み等は、被着体の種類、使用環境（温度環境）等により適宜選定される。
【００１８】
図３は、本発明を適用した犬用肛門拭取体２の平面図を示している。犬用肛門拭取体２は、平面視で見た場合に、両側に形成された側部２ｂと、この両側部２ｂの中間に形成される中間部２ａとを有している。この中間部２ａ及び側部２ｂは、両者間で明確な境界は存在せず、より中央に近い側が中間部２ａであり、より側端に近い方が側部２ｂとなる。この犬用肛門拭取体２は、両側部２ｂが一の方向Ａに向けて中間部２ａよりも偏移された形状とされている。つまり、両側部２ｂが中間部２ａよりも方向Ａに向けてシフトしていれば、或いは偏らせてなるものであればよい。図３の例では、この中間部２ａよりも両側部２ｂがＡ方向に向けて延出されていることで、当該Ａ方向に向けて偏移されているといえる。犬用肛門拭取体２は、前端２４の輪郭は円弧状とされており、後端２５の輪郭も同様に円弧状とされている。その結果、中間部２ａの両側に形成された両側部２ｂは、当該中間部２ａよりもＡ方向に向けて延出され、ひいては偏移された形状となる。
【００１９】
但し、この前端２４又は後端２５は、円弧状に形成される場合に限定されるものではない。図４〜６は、この犬用肛門拭取体２の平面視で見た場合における変形例を示している。
【００２０】
図４（ａ）は、前端２４、後端２５ともに中心で折り曲げられた直線状で構成されている。但し、その直線の角度は、後端２５の方が前端２４よりもゆるやかとされている。このような形状においても同様に両側部２ｂは、当該中間部２ａよりもＡ方向に向けて延出され、ひいては偏移された形状となる。図４（ｂ）は、いわゆるコ字状で構成されてなるが、両側部２ｂは、当該中間部２ａよりもＡ方向に向けて延出されていることから、両側部２ｂは、中間部２ａよりもＡ方向に偏移しているといえる。図４（ｃ）は、図４（ａ）の形態において左右のバランスを異ならせた形態である。このような左右のバランスを異ならせても、両側部２ｂは、当該中間部２ａよりもＡ方向に向けて延出され、ひいては偏移された形状となっているため、同様に本発明の範囲に含まれるものである。
【００２１】
図５（ａ）は、外郭が多角形状とされており、その中に同様の多角形状の内郭がくりぬかれてなる形態の例である。この形態においても、両側部２ｂは、当該中間部２ａよりもＡ方向に向けて延出されていることから、両側部２ｂは、中間部２ａよりもＡ方向に偏移しているといえる。図５（ｂ）は、円形のリングのＡ方向に向けた端部を切除した形状としており、換言すれば、円形状の外郭から同じく円形状の内郭をあたかもくりぬいた形態の例である。この形態においても、両側部２ｂは、当該中間部２ａよりもＡ方向に向けて延出されていることから、両側部２ｂは、中間部２ａよりもＡ方向に偏移しているといえる。図５（ｃ）は、長方形から円形状の内郭をくりぬいた形態の例である。この形態においても、両側部２ｂは、当該中間部２ａよりもＡ方向に向けて延出されていることから、両側部２ｂは、中間部２ａよりもＡ方向に偏移しているといえる。
【００２２】
図６（ａ）は、前端２４において３つの山が連なる形状とし、後端２５を円弧状に構成した例である。この形態においても、両側部２ｂは、当該中間部２ａよりもＡ方向に向けて延出されていることから、両側部２ｂは、中間部２ａよりもＡ方向に偏移しているといえる。図６（ｂ）は、前端２４において３つの山が連なる形状とし、後端２５を直線としている。この形態においては中間部２ａが両側部２ｂよりもＡ方向と反対方向に突出していることから、逆に言えば側部２ｂは、中間部２ａよりもＡ方向に偏移しているといえる。図６（ｃ）は、正五角形であるが、中間部２ａと両側部２ｂとに区切った場合、中間部２ａが両側部２ｂよりもＡ方向と反対方向に突出していることから、逆に言えば側部２ｂは、中間部２ａよりもＡ方向に偏移しているといえる。図６（ｄ）は、三角形であるが、中間部２ａと両側部２ｂとに区切った場合、中間部２ａが両側部２ｂよりもＡ方向と反対方向に突出していることから、逆に言えば側部２ｂは、中間部２ａよりもＡ方向に偏移しているといえる。
【００２３】
なお、本発明を適用した犬用肛門拭取体２は、上述したように平面視で見た形態に限定されるものではなく、平面視で両側部２ｂが中間部２ａよりもＡ方向に向けて偏移された形状であればいかなる形態とされていてもよい。
【００２４】
また犬用肛門拭取体２は、平面視で見た形態のみならず、拭取層２１の表面特性につき、各種形態を採用するものであってもよい。
【００２５】
次に、本発明を適用した犬用肛門拭取体２における実際の使用方法について説明をする。
【００２６】
先ず飼育家は、ペットとしての犬の散歩中をする際において、スーパーストアやコンビニエンスストア等で無償でもらえるポリエチレン等から構成される捕集袋と、犬用肛門拭取体２が複数に亘り配列されているシート１を携帯する。そして、犬が糞を下場合において飼育家は、シート１から一の犬用肛門拭取体２を剥がし、図７に示すように捕集袋３の表面に対して犬用肛門拭取体２を貼着する。この犬用肛門拭取体２の貼着方向は、ちょうどＡ方向が捕集袋３の袋口３ａに向けて配向するように貼着する。但し、この犬用肛門拭取体２の貼着方向は、Ａ方向がほぼ袋口３ａに向いているものであれば多少方向が変化するものであってもよい。
【００２７】
次に飼育家は図８に示すように捕集袋３の中に手を挿入する。上述したように両側部２ｂは、当該中間部２ａよりもＡ方向に向けて偏移されているため、挿入した手の中指が犬用肛門拭取体２における中間部２ａに、また人差し指と薬指が両側部２ｂに位置することとなる。かかる状態で図９（ａ）に示すように犬４の肛門４１又はその近傍に捕集袋３に挿入した手を近づける。図９（ｂ）は、肛門４１付近の拡大図であるが、肛門４１に対して捕集袋３に貼着された犬用肛門拭取体２を当てがう。このとき、ちょうど飼育家の手の中指、人差し指、薬指が犬用肛門拭取体２に位置することから、これら中指、人差し指、薬指により、犬用肛門拭取体２をうまく肛門４１に接触させることが可能となる。そして、この肛門４１に接触された状態にある犬用肛門拭取体２をＡ方向に向けて拭き取り、或いは擦り付ける動作を行うことで、その肛門４１又はその周囲に付着した排泄物を拭き取ることが可能となる。
【００２８】
この拭き取り動作は、肛門４１又はその周囲に対して犬用肛門拭取体２を何度か行うようにしてもよいが、本発明によれば、排泄物の付着性に優れた材料で構成されている拭取層２１を有することにより、拭き取り性能が優れていることから一度又は少ない回数の拭き動作のみで汚れを除去することが可能となる。これに加えて、ちょうど飼育家の手の中指、人差し指、薬指が犬用肛門拭取体２に位置させることが可能となることから、指からの力が犬用肛門拭取体２に対して好適に加わることとなり、肛門に付着した排泄物をその指からの力を通じて効率的に拭き取ることが可能となる。このため、拭き取り動作の回数をより減らすことができ、飼育家の飼育労力の負担の軽減を図ることが可能となる。これに加えて、拭き取り動作の回数を減らすことで犬の肛門に拭取層２１が擦れることにより傷が付いてしまうのを防止することができ、また肛門に傷が付くことによりばい菌が傷口から入り込むのを防止でき、衛生面においても優れたものとなる。
【００２９】
このようにして、肛門に付着した排泄物の拭き取りを行った後、飼育家は、手を捕集袋３に挿入したまま、地面に転がっている排泄物を掴みとる。この排泄物の摘み取りの動作は、地面上の排泄物に対して捕集袋３を介して上から掴み取る。このとき、図８に示すように飼育家の手の中指、人差し指、薬指が犬用肛門拭取体２に位置させた状態をそのまま維持しつつ、上から排泄物を掴み取ることが可能となる。上述した肛門に付着した排泄物の拭き取り動作は、肛門に対して手を下側から当てがうのに対して、地面の排泄物の掴み取り動作は手を上側から近接させる。つまり捕集袋３内に手を挿入したままの状態で、単に上側又は下側から近接させる動作のみを行うことで、これら排泄物の拭き取り及び掴み取りの双方の動作を実現することができる。ちなみに排泄物を掴み取った後は、捕集袋３を袖口から全体を裏返し、排泄物ごと手から抜き取って袖口を結んで廃棄することとなる。
【００３０】
特に本発明を適用した犬用肛門拭取体２によれば、スーパーストアやコンビニエンスストア等で無償でもらえるポリエチレン等から構成される捕集袋３をそのまま流用することができるため、資源の節約面においても優れたものとなり、しかも飼育家は単に犬用肛門拭取体２が配列しているシート１のみを購入すればよいことから、飼育コストを下げることも可能となる。
【００３１】
なお本発明を適用した犬用肛門拭取体２は、上述した形態に限定されるものではない。
【００３２】
例えば図１０（ａ）に示す形態では、拭取層２１につき、高摩擦領域３１と低摩擦領域３２とを分けて設ける。この例では、中間部２ａを低摩擦領域３２とし、両側部２ｂを高摩擦領域３１としているが、これに限定されるものではなく、中間部２ａを高摩擦領域３１とし、両側部２ｂとしてもよい。また、高摩擦領域３１と低摩擦領域３２は、中間部２ａ、両側部２ｂに対応させて割り当てられる場合に限定されるものではなく、その割り当ての配置についてはいかなるものであってもよい。即ち、この拭取層２１の全表面のうち、一部が高摩擦領域３１であり、一部が低摩擦領域３２が割り当てられるものであればいかなる形態とされていてもよく、例えばこの高摩擦領域３１と低摩擦領域３２が混在するものであってもよい。
【００３３】
図１０（ｂ）は、図１０（ａ）のＢ−Ｂ´断面図である。ちょうど中間部２ａに相当する箇所においては低摩擦領域３２とされ、その側部２ｂは高摩擦領域３１とされている。高摩擦領域３１は、表面の摩擦係数が低摩擦領域３２よりも大きいものであればいかなる材料で構成されていてもよい。また、高摩擦領域３１は低摩擦領域３２と同一材料で構成されている代わりに表面粗さのみ異ならせることで摩擦係数に差を持たせるようにしてもよい。
【００３４】
このように拭取層２１につき、高摩擦領域３１と低摩擦領域３２を局所的に設けることにより、特に肛門４１に付着した排泄物の拭き取り動作をより効率的に実現できる。例えば、中間部２ａを低摩擦領域３２とし、両側部２ｂを高摩擦領域３１とすることにより、拭き取り時には、両側部２ｂを肛門４１の周囲に、また中間部２ａを肛門４１に対して直接的に接触させることが可能となる。両側部２ｂの高摩擦領域３１が肛門４１の周囲に接触していることで犬用肛門拭取体２をＡ方向に向けて引く力が増大する。その結果、両側部２ｂの高摩擦領域３１を介して犬用肛門拭取体２をＡ方向に向けて引くスピードを遅くすることが可能となる。これに対して、肛門４１には低摩擦領域３２からなる中間部２ａが接触することにより、表面が粗い高摩擦領域３１によりデリケートな肛門４１を傷つけてしまうのを防止できる。つまり、この図１０の構成からなる犬用肛門拭取体２によれば拭き取り時においてＡ方向に向けて引くスピードを遅くすることで、拭き取りをゆっくりと行うことができるため、１回の拭き取り動作で排泄物を残すことなく拭き取ることが可能とし、しかも犬４の肛門４１に傷をつけてしまうのを防止できる。
【００３５】
また図１１は、この犬用肛門拭取体２の表層を構成する拭取層２１につき多孔質の材料で構成した例を示している。犬用肛門拭取体２の表層には、小孔５１が規則的又はランダムに形成されている。この拭き取り時には、拭き取った排泄物をこの小孔５１に案内することができる。その結果、犬用肛門拭取体２の表層に排泄物が付着したままの状態になるのを防止できる。特に犬用肛門拭取体２を介して肛門４１を複数回に亘って拭く場合に既に付着している排泄物を小孔５１内に導くことでその表面をできるだけ清純に維持することが可能となる。
【００３６】
図１２（ａ）の例では、ちょうど中間部２ａにおけるほぼ中心線に沿ってＡ方向に向けてリブ５３を形成させた犬用肛門拭取体２の例を示している。このリブ５３は、図１２（ｂ）に示すＢ−Ｂ´線断面図に示すように、ほぼ中央を凸状に隆起させることで構成されている。このようなリブ５３が形成されていることにより、犬用肛門拭取体２を肛門４１に当てがった場合に、このリブ５３が肛門４１の奥深くに入り込むことでフィットし、肛門４１に付着した排泄物を残すことなく拭き取ることが可能となる。このとき中指をこのリブ５３の内側から挿入することも可能となり、この中指を介してリブ５３から肛門４１への押圧力を働かせることで、付着した排泄物をより効率的に除去することが可能となる。また、このリブ５３を肛門４１に接触させることにより、このリブ５３が犬の尻に沿って案内されることで、拭き取り方向をちょうどＡ方向に向けて制御されることとなる。なお、この凸状のリブ５３を設ける代わりに、凹状の溝部を設けるようにしてもよい。
【００３７】
図１３において犬用肛門拭取体２の断面を波形状に構成した例を示している。即ち、中間部２ａから両側部２ｂに至るまで、上方に向けて隆起した隆起部５７と、下方に向けて隆起した溝部５６が交互に連続させてなる。このとき、中間部２ａの中心にはかならず隆起部５７が位置するように構成されている。この中間部２ａの中心に位置する隆起部５７が肛門４１の奥深くに入り込むことでフィットし、肛門４１に付着した排泄物を残すことなく拭き取ることが可能となる。また中間部２ａの中心以外の隆起部５７において人差し指、薬指を添えることができることから安定した状態で把持することも可能となる。また波形状で構成することで比較的強度面においても強いものとすることができる。波形状に撓ませる方法としては、元からそのように撓んでいる状態のゴムやスポンジ等の弾性材を拭取層２１と粘着層２２の間に介装させることで実現するようにしてもよい。なお、この波形の断面形状はサイン波に限定されるものではなく、隆起部５７と溝部５６が連続するものであればいかなるものであってもよい。
【００３８】
図１４は、犬用肛門拭取体２に対して予め内部応力を導入した例を示している。この事前に発生させる内部応力は、例えば図１４（ａ）に示すように中間部２ａに向けて応力が集中するような方向とされていてもよいし、図１４（ｂ）に示すように中間部２ａから側部２ｂに向けた内部応力とされていてもよい。
【００３９】
図１４（ａ）に示す形態においては、中間部２ａに向けて応力が集中している状態で予め引っ張られているため、中指で押圧して場合にかかる内部応力により容易に撓ませることができ、中指を肛門４１に押し当てることが可能となる。また図１４（ｂ）に示す形態においては、中間部２ａが予め引っ張られているため、中指で押圧して場合にかかる内部応力により容易に撓んでしまうのを効果的に防止できる。特に図１４（ｃ）に示すように中央にリブ５３を設ける場合においてそのリブ５３の根本部から頂部に向けて図中矢印方向に向けた内部応力を予め発生させるようにしてもよい。これによりリブ５３の内部から中指を当てた場合に、このリブ５３を容易に撓ませることが可能となる。内部応力の発生手段としては、例えばゴム等の弾性材料につき局所的に引張応力を負荷した状態で、拭取層２１と粘着層２２との間に介装して固定するようにしてもよい。
【００４０】
図１５は、犬用肛門拭取体２における拭取層２１の表面において、上に凸状の半球状のエンボス５９を複数に亘り規則的に、又はランダムに形成した例を示している。これらエンボス５９を設けておくことにより、肛門４１に付着した排泄物をこのエンボス５９に接触させることで効果的に拭き取ることが可能となる。このような形態からなる犬用肛門拭取体２により拭き取り動作を行うと、肛門４１に対してエンボス５９が複数回に亘り当たることとなる。このため一回目のエンボス５９の接触を通じて拭き取れなかった排泄物は、次回以降に渡り接触するエンボス５９を介して拭き取られることとなる。また肛門４１に接触しない他のエンボス５９も犬肛門付近に接触することでツボが押される場合もあり、又は排泄物以外の汚れを拭き取ることができる。ちなみに、このエンボス５９の大きさは互いに異ならせることが可能となる。例えば中間部２ａに形成されたエンボス５９はより径大に構成し、側部２ｂに形成されるエンボス５９はより径小に構成するようにしてもよい。これにより、中間部２ａの径大なエンボスを通じて肛門４１に付着した排泄物をより効率的に除去することが可能となる。
【００４１】
図１６（ａ）は、図３に示すＢ−Ｂ´断面図の他の例である。この例では、一の側端から他の側端に至るまで全体的に円弧状となるように撓ませて構成している。これにより、中指が内側から当たる円弧状の頂部を介して肛門４１の奥深くまで拭取層２１を接触させることが可能となる。
【００４２】
図１６（ｂ）は、図３に示すＣ−Ｃ´断面図の他の例である。この例では、前端２４から後端２５に至るまで全体的に円弧状となるように撓ませて構成している。これにより、円弧状に構成しない場合と比較して肛門４１と拭取層２１との接触距離を長くすることができ、排泄物の拭き取り効率を向上させることが可能となる。
【００４３】
図１７（ａ）では、中間部２ａのほぼ中心線において山折りに折り込まれた例を示している。図１７（ｂ）は、そのＢ−Ｂ´断面を示しているが、ちょうど中心においてその山折りの頂部６０が形成されることとなる。この例においても同様に、中指が内側から当たる頂部６０を介して肛門４１の奥深くまで拭取層２１を接触させることが可能となる。
【００４４】
図１８の例では、Ａ方向に向けて断続的に突起６５を形成させる例を示している。この突起６５の形成位置は、図１８（ａ）に示す平面視においてちょうど中間部２ａの中心線に沿ったものとなる。この突起６５の形状は、図１８（ｂ）に示すＣ−Ｃ´断面図に示すように、流線型の形状とされていることにより肛門４１へ傷が付いてしまうのを防止することができる。
【００４５】
図１９の例では、手の中指に応じた溝状の中指案内部７７を中間部２ａの略中央近傍に形成し、その両側に人指し指に応じた溝状の人指し指案内部７８及び薬指に応じた溝状の薬指案内部７６を形成している。この薬指案内部７６、中指案内部７７、人指し指案内部７８は何れも深さ方向に向けて凹状に形成されてなり、そのサイズも指の太さに応じたものとなっている。これにより、薬指案内部７６、中指案内部７７、人指し指案内部７８にそれぞれ指を案内させることができ、ひいては犬用肛門拭取体２に対して指がずれることなく安定した状態で拭き取り動作を行うことができる。
【００４６】
図２０の例では、図３のＢ−Ｂ´断面図において、主として中指が当たる中間部２ａについては、拭取層２１の上に更にもう一層に亘り同一の材料からなる拭取層２１´を積層させている。この拭取層２１及び拭取層２１´を二重に形成させることにより、実際に排泄物を拭き取る上でこれらが破けることなく強固なものとすることができる。ちなみに、拭取層２１´は、拭取層２１と同一材料で構成される場合に限定されるものではなく、また拭取層２１´は２層以上で構成されていてもよい。
【００４７】
図２１の例では、図３のＢ−Ｂ´断面図において、拭取層につき、中間部２ａと側部２ｂとの間で互いに異種材料で構成した例を示している。特にこの中間部２ａに形成される拭取層８１については、側部２ｂに形成された拭取層８０よりも吸水性の高い材料としている。これにより、特に排泄物が接触する中間部２ａの拭取層８１について拭き取り性能を向上させ、拭取層８０については比較的安価な材料とすることで全体的なコストを削減することが可能となる。
【００４８】
図２２の例では、図３のＢ−Ｂ´断面図において、拭取層２１と、粘着層２２との間に冷却材８３を介装させた例を示している。このような冷却材８３を介装させることにより、特に夏場において犬の下半身に心地よい冷たさを感じさせることができ、拭き取り動作を容易に行うことができる。またこの冷却材８３の代替として保温材を介装させるようにしてもよい。このような保温材を介装させることにより、特に冬場において犬の下半身に心地よい温かさを感じさせることができ、拭き取り動作を容易に行うことができる。
【００４９】
図２３（ａ）の例では、平面視においてちょうど中間部２ａの中央付近において洗浄液８７を封入させた例を示している。この洗浄液８７は、図２３（ｂ）に示すＢ−Ｂ´断面図に示すように保護シート８６によりカバーされている。この保護シート８６は、ポリエチレン等の樹脂性の薄膜等で構成されており、これを破くことにより内部に封入されている洗浄液８７を流出できる構成とされている。洗浄液８７は、例えば石鹸水等で構成されていてもよい。流出させた洗浄液８７を犬の肛門４１に塗布するとともに露出した拭取層２１により排泄物を拭き取ることができ、肛門４１の清潔性を向上させることができる。ちなみに、この保護シート８６は、破く以外に、擦ることで穴を開けるようにしてもよいし、犬の体温で溶解可能なゼラチン等の物質で構成してもよい。
【００５０】
また本発明は、上述した実施の形態に限定されるものではなく、中間部２ａと、側部２ｂとの間で互いに物性を異ならせるようにしてもよい。かかる場合には、この中間部２ａについてより比重の高い物質で構成し、側部２ｂについては、より比重の低い物質で構成している。これにより、犬用肛門拭取体２の重心がちょうど中間部２ａに位置することにより、把持性を向上させることが可能となる。
【００５１】
また図２４に示すように、中間部２ａと側部２ｂとの間で互いに弾性率を異ならせるようにしてもよい。このとき中間部２ａの弾性率を、側部２ｂの弾性率より低い低弾性領域１０１とすることで、中指により中間部２ａを押圧した場合にこれを容易に撓ませることが可能となる。このとき、低弾性領域１０１は、たとえばゴムやスポンジ、樹脂等、容易に撓むことができる弾性材で構成されていることが望ましい。これにより、中間部２ａの動きを中指の動きに追従させることができるため、排泄物を拭き取るためのより細かい中指の動作を中間部２ａに反映させることができ、拭き取り精度を高めることができる。また犬の尻や肛門４１の形状に応じてこの中間部２ａを自在に変形させてフィットさせることができる。ちなみに、中間部２ａにつき上述した低弾性領域１０１で構成する場合には、この弾性材が形成される領域については粘着層２２を省略することで、中指の押圧に応じて伸縮自在に構成することができる。また、拭取層２１もこれに応じて省略する代わりに、弾性材の表面に吸水性の物質や紙を貼り付けるようにしてもよい。
【００５２】
図２５では、前端２４から後端２５にかけて複数の領域に区切った例を示している。この図２５の例では、最内周側に形成されている内周領域９７と、最外周側に形成されている外周領域９５と、この内周領域９７と外周領域９５との間に形成されている中間領域９６とを有している。この外周領域９５、中間領域９６、内周領域９７は、互いに同一物性とされていてもよいし、上述したように比重、弾性率、厚みを互いに異ならせるようにしてもよい。
【００５３】
なお、本発明は更に上述した各形態の何れか１以上を互いに組み合わせたもので構成されていてもよい。
【００５４】
また、上述した実施の形態は、何れも平面視で両側部２ｂが中間部２ａよりも一方向に向けて偏移されている場合を例にとり説明をしたが、かかる形態に限定されるものではない。図２６は、平面視で矩形状とされており、特に両側部２ｂが中間部２ａよりも一方向に偏移されているものではない。かかる場合においても図２６に示すように中指を中間部２ａに人差し指、薬指を両側部２ｂに接触させることができ、上述した作用効果を奏することが可能となる。また平面視で矩形状以外に、円形、楕円形、その他らランダムな形状等、両側部２ｂが中間部２ａよりも一方向に偏移されていないいかなる形状に具現化されていてもてよい。
【００５５】
またこの図２６の平面形態と、図１０〜２５に示す何れか１以上の形態を互いに組み合わせたもので構成されていてもよいことは勿論である。
【符号の説明】
【００５６】
１  シート
２  犬用肛門拭取体
３  捕集袋
４  犬
２１、８０、８１  拭取層
２２  粘着層
２４  前端
２５  後端
３１  高摩擦領域
３２  低摩擦領域
４１  肛門
５１  小孔
５３  リブ
５６  溝部
５７  隆起部
５９  エンボス
６０  頂部
６５  突起
７６  薬指案内部
７７  中指案内部
７８  指案内部
８３  冷却材
８６  保護シート
８７  洗浄液
９５  外周領域
９６  中間領域
９７  内周領域
１０１  低弾性領域
【要約】
【課題】犬の肛門又はその周囲に付着した排泄物の拭き取りの利便性を向上させると共に、衛生面や資源の節約面にも優れた犬用肛門拭取体を提供する。
【解決手段】犬の肛門又はその周囲に付着した排泄物を拭き取るための犬用肛門拭取体において、排泄物を拭き取るための拭取層２１が表面に形成されるとともに、犬の排泄物を捕集するための捕集袋４の表側に貼着される粘着層２２がその裏面に形成され、必要に応じて平面視で両側部がその中間に形成される中間部よりも一の方向に向けて偏移された形状とされていることを特徴とする。
【選択図】図３【図１】
0005928858.tif 000002
【図２】
0005928858.tif 000003
【図３】
0005928858.tif 000004
【図４】
0005928858.tif 000005
【図５】
0005928858.tif 000006
【図６】
0005928858.tif 000007
【図７】
0005928858.tif 000008
【図８】
0005928858.tif 000009
【図９】
0005928858.tif 000010
【図１０】
0005928858.tif 000011
【図１１】
0005928858.tif 000012
【図１２】
0005928858.tif 000013
【図１３】
0005928858.tif 000014
【図１４】
0005928858.tif 000015
【図１５】
0005928858.tif 000016
【図１６】
0005928858.tif 000017
【図１７】
0005928858.tif 000018
【図１８】
0005928858.tif 000019
【図１９】
0005928858.tif 000020
【図２０】
0005928858.tif 000021
【図２１】
0005928858.tif 000022
【図２２】
0005928858.tif 000023
【図２３】
0005928858.tif 000024
【図２４】
0005928858.tif 000025
【図２５】
0005928858.tif 000026
【図２６】
0005928858.tif 000027